(57)【要約】【課題】  足指先の力を靴底に安定して伝達させることができるとともに、足指や足裏の筋肉アップを図ることができる中敷きを提供すること。【解決手段】  靴の内底に収容可能な中敷き本体４と、前記中敷き本体４の足指側前部に取付けられた前坪１４と、前記前坪１４における前記中敷き本体４と反対側端部に設けられ、前記前坪１４に対して足指側から踵側まで前後方向に長く延伸する甲側支え部材１６と、を備え、  前記甲側支え部材は、前記前坪と接する部分の中心から足指側先端部までの長さをSLとし、前記前坪と接する部分の中心から踵側端部までの長さをKLとしたときに、SL≦KLの関係となることを特徴とする中敷きとした。【選択図】  図１
2020025844.tif 000002
【特許請求の範囲】
【請求項１】
靴の内底に収容可能な中敷き本体と、前記中敷き本体の足指側前部に取付けられた前坪と、前記前坪における前記中敷き本体と反対側端部に設けられ、前記前坪に対して足指側から踵側まで前後方向に長く延伸する甲側支え部材と、を備え、
前記甲側支え部材は、前記前坪と接する部分の中心から足指側先端部までの長さをSLとし、前記前坪と接する部分の中心から踵側端部までの長さをKLとしたときに、SL≦KLの関係となることを特徴とする中敷き。
【請求項２】
前記前坪は、柱状部材を少なくとも有していることを特徴とする請求項１に記載の中敷き。
【請求項３】
前記前坪は、前記柱状部材を被う弾性スリーブを備えたことを特徴とする請求項２に記載の中敷き。
【請求項４】
前記中敷き本体の足指側前部には前坪位置調整部が設けられ、前記前坪の取付け位置が前記前坪位置調整部により位置調整可能とされたことを特徴とする請求項１〜３のいずれかに記載の中敷き。
【請求項５】
前記前坪位置調整部によって前記前坪の取付け位置は、前記中敷き本体の足指側前部における前記前坪の後端部から踵側端部までの長さＭＬが、足の踵後端部から足指の第１趾と第２趾とのつけ根までの長さＡＬと略同一になるように位置調整可能であることを特徴とする請求項４に記載の中敷き。
【請求項６】
当該中敷きを収容した前記靴を履くときに手指で把持可能な把持部を前記甲側支え部材の踵側端部に有していることを特徴とする請求項１〜５のいずれかに記載の中敷き。
【請求項７】
前記靴の前記内底に収容した状態において、前記把持部のうち踵側端部に靴の履き口から外部に露出する露出部を有することを特徴とする請求項６に記載の中敷き。
【請求項８】
前記露出部の外面又は内面に、彩色、キャラクター又はブランド名が描かれていることを特徴とする請求項７に記載の中敷き。
【請求項９】
前記甲側支え部材の前記前坪と接する部分から踵側端部までの領域において、少なくとも前記甲側支え部材の外面に、前記靴の甲被部への保持を強化する保持強化部が設けられ、前記靴の前記内底に収容した状態において、前記保持強化部の外面が前記靴の前記甲被部に接触するように構成されていることを特徴とする請求項１〜８のいずれかに記載の中敷き。
【請求項１０】
前記中敷き本体の足指側前部における足指を支える部分よりも先端方向の領域に、前記中敷き本体の厚さを薄くする薄肉部を設けたことを特徴とする請求項１〜９のいずれかに記載の中敷き。
【請求項１１】
前記中敷き本体において、前記薄肉部に相当する領域が切断されていることを特徴とする請求項１０に記載の中敷き。
【請求項１２】
前記前坪とは別に調整部を中敷き本体及び前記甲側支え部材の間に取付けたことを特徴とする請求項１〜１１のいずれかに記載の中敷き。
【請求項１３】
靴本体の内底に請求項１〜１２のいずれかに記載の中敷きが収容されたことを特徴とする靴。
【請求項１４】
前記中敷きを前記靴の内底に収容した当該靴を履いたときに、足指先が前記靴の足指側先端部内面に当接しないように、前記前坪位置調整部により調整された位置に前記前坪が前記中敷き本体に取付けられていることを特徴とする請求項１３に記載の靴。
【発明の詳細な説明】
【技術分野】
【０００１】
本発明は、足指先の力を靴底に安定して伝達させることができる中敷き及びこれを備えた靴に関する。
【背景技術】
【０００２】
足指先の力を靴底に安定して伝達させるための中敷きとして、中敷き本体と、この中敷き本体に着脱自在に装着される趾股ブリッジとを備えたものが提案されている（例えば、特許文献１参照）。この趾股ブリッジは、足裏ベース部と、甲被カバー部と、足裏ベース部及び甲被カバー部を接続する趾股ブリッジ部とを備えており、また中敷き本体の前端部にはスリット部が設けられており、この趾股ブリッジの趾股ブリッジ部が中敷き本体のスリット部に挿嵌される。
【０００３】
この中敷きにおいては、足指の第１趾と第２趾との間に趾股ブリッジの趾股ブリッジ部が位置し、かかる第１趾及び第２趾により趾股ブリッジ部が挟まれるようになるために、足指先の瞬発的力を靴の爪先底部にロスなく伝達することができ、運動能力の向上を図ることができる。
【先行技術文献】
【特許文献】
【０００４】
【特許文献１】特許第５８０６４２７号公報
【発明の概要】
【発明が解決しようとする課題】
【０００５】
しかしながら、従来の中敷きでは、趾股ブリッジが中敷き本体のスリット部に着脱自在に挿嵌される構成である故に、下り坂やでこぼこ道を歩行する場合などで趾股ブリッジに大きな力が加わると、中敷き本体に対して趾股ブリッジが相対的に移動しやすく、足指先の力を趾股ブリッジ及び中敷き本体を介して靴の爪先底部に確実に伝達することができない。特に、中敷きを靴の内底に収容した状態においては、この趾股ブリッジの足裏ベース部が靴の内底に接触保持され、その甲被カバー部が靴の甲被部内面に接触保持されるので、趾股による趾股ブリッジの保持を充分確実に行うことが難しいという問題がある。
【０００６】
また、この趾股ブリッジでは、第１趾と第２趾との間の趾股に趾股ブリッジ部が位置するが、この趾股ブリッジ部が壁状に設けられているので、第１趾及び第２趾により趾股ブリッジ部をつかむことが難く、従って、第１趾を含む足の指先に力が入り難いという問題がある。
【０００７】
さらに、従来の中敷きを靴に収容した状態で履くときに、趾股ブリッジの位置が不安定となるために履きにくく、歩行中も趾股ブリッジを趾股に確実に保持することが困難であるという問題がある。
【０００８】
本発明は、上記問題点を解決して、足指先の力を靴底に安定して伝達させることができるとともに、足指の筋力アップを図ることができ、靴に収容した状態で履きやすい中敷き及びこれを備えた靴を提供することを課題とする。
【課題を解決するための手段】
【０００９】
上記課題を解決するため本発明は、靴の内底に収容可能な中敷き本体と、前記中敷き本体の足指側前部に設け取付けられた前坪と、前記前坪における前記中敷き本体と反対側端部に設け設けられ、前記前坪に対して足指側から踵側まで前後方向に長く延伸する甲側支え部材と、を備え、
前記甲側支え部材は、前記前坪と接する部分の中心から足指側先端部までの長さをSLとし、前記前坪と接する部分の中心から踵側端部までの長さをKLとしたときに、SL≦KLの関係となることを特徴とする中敷きを提供するものである。
【００１０】
この構成により、足指先の力を靴底に安定して伝達させることができるとともに、足指の筋力アップを図ることができ、靴に収容した状態で履きやすくすることができる。
【００１１】
すなわち、甲側支え部材が前坪に対して足指側から踵側まで前後方向に長く延伸することにより、特に、前坪よりも踵側の部分において靴の甲被部内面に接触して摩擦により移動することを防ぐことができ、また、甲側支え部材の足指側にも延伸させることで足指側先端部が靴の先端方向の内面に当接しやすくすることができ、中敷きと靴の一体性を向上させることができる。
【００１２】
また、前記甲側支え部材は、前記前坪と接する部分の中心から足指側先端部までの長さをSLとし、前記前坪と接する部分の中心から踵側端部までの長さをKLとしたときに、SL≦KLの関係となる構成としたことにより、前坪と接する部分から踵側端部までの領域を大きくとることになり、確実に靴の甲被部内面に接触して摩擦により移動することを防ぐことができる。さらに、前坪が中敷き本体に着脱自在に取付けられた構造であるため、個人の足の長さによって前坪の位置調整が可能であるとともに、甲側支え部材の交換が容易である。また、前坪と甲側支え部材とを着脱自在に取付けることが好ましい。これにより、前坪に対ｓる足指側又は踵側への長さを調整することができる。
【００１３】
そして、靴の内底に中敷きを収容した状態で靴を履くと、足指の第１趾と第２趾との間の趾股に前坪が位置し、歩くときにこの前坪が趾股に作用し、これにより、歩くときの体重移動が踵から第１趾に向けて直線状に移動するようになり、その結果、足指先の力を靴底に安定して伝えて歩行、走行などを安定させることができる。また、この歩行、走行状態においては、前坪が第１趾と第２趾との間の趾股に作用し、足指に力を入れるときには第１趾及び第２趾がかかる前坪をつかむようになり、そのために、足の指先に力が入って踏ん張りがきくようになる。これによっても歩行、走行などが安定するようになり、また足指の筋力アップを図ることができ、足指にとって優れた中敷き及び靴を提供することができる。さらに、足の指先に力が入って歩行、走行することにより姿勢が安定して腰痛や膝痛などを予防することができる。
【００１４】
前記前坪は柱状部材を少なくとも有している構成としてもよい。
【００１５】
これにより、しっかりとした前坪とすることができる。また、好ましくは、柱状部材にねじ又は圧入部材により中敷き本体を取付ける構成としてもよい。これにより、前坪の着脱が容易になる。
【００１６】
前記前坪は、前記柱状部材を被う弾性スリーブを備えた構成としてもよい。
【００１７】
この構成により、前坪の中心部においては柱状部材により充分な剛性及び強度を確保しながら、足指の第１趾及び第２趾並びにこれらの間の趾股には弾性スリーブが接触するようになり、このように構成しても足に優しいが趾股には刺激が強い中敷きとすることができる。
【００１８】
前記中敷き本体の足指側前部には前坪位置調整部が設けられ、前記前坪の取付け位置が前記前坪位置調整部により位置調整可能とされた構成してもよい。
【００１９】
この構成により、前坪を前坪位置調整部により位置調整自在に取り付けることができ、踵から第１趾及び第２趾のつけ根までの長さに応じて前坪の位置を調整して中敷き本体に取り付けることができる。要するに、足の踵から足指の第１趾と第２趾のつけ根までの長さを個人の足に合わせて調整しておけば、足指の第１趾と第２趾のつけ根から靴の先端までの長さは多少長くてもしっかりと足を保持することができるため、前後方向に多少長めの靴でも形状重視で靴を選択することができる。また、足指と靴の先端までの間に余裕ができることにより、足指を動かすことが可能となり血行障害を防止することができる。前坪位置調整部は、挿通スリット又は挿通開口（孔）で構成することができる。
【００２０】
前記前坪位置調整部によって前記前坪の取付け位置は、前記中敷き本体の足指側前部における前記前坪の後端部から踵側端部までの長さＭＬが、足の踵後端部から足指の第１趾と第２趾とのつけ根までの長さＡＬと略同一になるように位置調整可能である構成としてもよい。
【００２１】
この構成により、個人の足にあった寸法の中敷きとすることができ、靴に収納して履いて下り坂を歩いても中敷きの前坪に趾股が固定されて、足指先が靴の先端内面に当接して痛くなることもなく足に優しい中敷きとすることができる。
【００２２】
当該中敷きを収容した前記靴を履くときに手指で把持可能な把持部を前記甲側支え部材の踵側端部に有している構成としてもよい。
【００２３】
この構成により、当該中敷きを収容した靴を履くときに、当該把持部を手指で把持し引っ張りながら履くことで、靴ベラがなくても腰を屈めることなく楽に履くことができるとともに、前坪の位置が靴先端側にずれることを避けることができる。また、歩行中に前坪の位置がずれても当該把持部を手指で把持し引っ張ることで前坪の位置を第１祉と第２祉との間の趾股に戻すことができる。
【００２４】
前記靴の前記内底に収容した状態において、前記把持部のうち踵側端部に靴の履き口から外部に露出する露出部を有する構成としてもよい。
【００２５】
この構成により、当該中敷きを収容した靴を履くときに、当該露出部を手指で楽に把持して楽に引っ張ることができ、靴ベラがなくても腰を屈めることなく楽に履けるとともに、前坪の位置が靴先端側にずれることも避けることができる。
【００２６】
前記露出部の外面又は内面に、彩色、キャラクター又はブランド名が描かれている構成としてもよい。
【００２７】
この構成により、デザイン性に優れた露出部とすることができ、当該中敷きを収容した靴を履くことに喜びを提供することができる。
【００２８】
前記甲側支え部材の前記前坪と接する部分から踵側端部までの領域において、少なくとも前記甲側支え部材の外面に、前記靴の甲被部への保持を強化する保持強化部が設けられ、前記靴の前記内底に収容した状態において、前記保持強化部の外面が前記靴の前記甲被部に接触するように構成されている構成としてもよい。
【００２９】
この構成により、当該中敷きを靴の内底に収容した状態で、甲側支え部材の踵側の領域における保持強化部と靴の甲被部内面とが接触保持されることにより、甲側支え部材の靴の先端側への移動を確実に抑えることができ、前坪を中敷き本体と甲側支え部材との間の所定部位に確実に保持することができる。保持強化部は、面ファスナー等により構成することができる。
【００３０】
前記中敷き本体の足指側前部における足指を支える部分よりも先端方向の領域に、前記中敷き本体の厚さを薄くする薄肉部を設けた構成としてもよい。
【００３１】
この構成により、山道や階段を登るときに足指が中敷き本体に接する部分が薄くなることによって、足指が踏ん張りやすくなり、踵側の負担が少なくなり腰痛や膝痛を予防することができるともに、足指の筋力アップをすることができる。
【００３２】
前記中敷き本体において、前記薄肉部に相当する領域が切断されている構成としてもよい。
【００３３】
この構成により、簡単な構成で足指が踏ん張りやすくなり、踵側の負担が少なくなり腰痛や膝痛を予防することができるともに、足指の筋力アップをすることができる。
【００３４】
前記前坪とは別に調整部を前記中敷き本体及び前記甲側支え部材の間に取付けた構成としてもよい。
【００３５】
この構成により、左右から体を押されたときにも足の親指や足の裏に力が入り踏ん張ることができる。また、その位置を調整することにより、各人毎の外反母趾を矯正することができる。
【００３６】
靴本体の内底に上記のいずれかの中敷きを収容した構成としてもよい。
【００３７】
この構成により、足指先の力を靴底に安定して伝達させることができるとともに、足指の筋力アップを図ることができる。
【００３８】
前記中敷きを前記靴の内底に収容した当該靴を履いたときに、足指先が前記靴の足指側先端部内面に当接しないように、前記前坪位置調整部により調整された位置に前記前坪が前記中敷き本体に取付けられている構成としてもよい。
【００３９】
この構成により、当該靴を履いたときに、足指先が靴の足指側先端部内面に当接しないように前坪の位置を調整することで、足指先端にストレスがかからず圧迫されなくなり、足指先の損傷や疲労を回避できる。また、これにより足指先の筋力を向上させることができる。
【発明の効果】
【００４０】
本発明の中敷き及びこれを備えた靴により、足指先の力を靴底に安定して伝達させることができるとともに、足指の筋力アップを図ることができ、靴に収容した状態で履きやすい中敷き及びこれを備えた靴を提供することができる。
【図面の簡単な説明】
【００４１】
【図１】本発明の実施例１における中敷きを説明する斜視図。
【図２】図１の中敷きを示す正面図。
【図３】図１の中敷きを示す平面図。
【図４】図１の中敷きを示す底面図。
【図５】図１の中敷きを示す右側面図
【図６】図５におけるＶＩ−ＶＩ線による断面図。
【図７】図１の中敷きを靴に収容した状態を示す断面図。
【図８】前坪の変形形態を示す断面図。
【図９】本発明の実施例２における薄肉部を説明する図であり、（ａ）は平面図、（ｂ）は中敷き本体の足側を薄くして薄肉部を形成した側面図、（ｃ）は中敷き本体の靴側を薄くして薄肉部を形成した側面図。
【図１０】本発明の実施例３における調整部を説明する図であり、（ａ）は平面図、（ｂ）は一部省略した側面図。
【図１１】本発明の実施例１における足の長さ測定を説明する図であり、（ａ）は右足の足の裏を示し、（ｂ）は右足の足の裏を示す。
【発明を実施するための形態】
【実施例１】
【００４２】
図１〜図８、図１１を参照して、本発明に従う中敷きの実施例１について説明する。
【００４３】
図１〜図５において、図示の中敷き２は、靴１０２の底部１０４の内面（即ち、内底１０６）（図７参照）の形状に対応した中敷き本体４を備え、この中敷き本体４の足指側前部６は平らに形成され、その踵側後部８における幅方向中央部１０が平らに形成され、その幅方向両側部１２が上側に湾曲して延び、かかる両側部１２の内側面が外方に向けて上方に傾斜して延びている。従って、この中敷き本体４においては、足１０８の裏面が中敷き本体４の平らな部分（即ち、足指側前部６及び踵側後部８の幅方向中央部１０）に位置し、中敷き本体４の幅方向両側部１２が足１０８の踵側を両側から包むようになることで靴１０２に収容可能であるとともに足に対応した形状とされている。
【００４４】
なお、実施例１においては、踵側後部８を備えた構成としたが、必ずしもこれに限定されず適宜変更が可能である。例えば、足指側前部６のみを有した足指側先端からの長さを短くした中敷き本体４としてもよい。
【００４５】
中敷き本体４は、例えば柔軟性を有する合成樹脂材料などから形成することができ、その表面を織布などで被うようにしてもよい。また、中敷き本体４として、全体が略平らなものを用いるようにしてもよい。
【００４６】
この中敷き２においては、中敷き本体４の足指側前部６に前坪１４が取付けられ、この前坪１４の上端部に甲側支え部材１６が取付けられている。前坪１４の長さは任意であるが、当該中敷きを靴に収容して履いたときに足指を圧迫せず、靴の甲被部１１２の内面に当接可能な高さとすることが望ましい。図６をも参照して、前坪１４は、柔軟性を有する中空スリーブとしての円筒状中空スリーブ１８と、この円筒状中空スリーブ１８を挿通して配設された一対の芯索２０，２２とを備え、円筒状中空スリーブ１８は、例えば合成樹脂材料から形成することができ、一対の芯索２０，２２は、例えば布を紐状にしたものなどを用いることができる。尚、一対の芯索２０，２２を一つにまとめたものを用いるようにしてもよく、またこの円筒状中空スリーブ１８を省略するようにしてもよい。
【００４７】
なお、図１、図２には前坪１４が中敷き本体４に直立するように記載されているが、必ずしも直立していなくてもよく、前坪４が踵側又は足指側に傾斜して中敷き本体４に取付けられていてもよい。
【００４８】
実施例１では、円筒状中空スリーブ１８の一端（下端、すなわち中敷き本体４側の端部）は、中敷き本体４の足指側前部６の表面に当接するように配設され、その他端（上端、すなわち甲側支え部材１６側の端部）は、甲側支え部材１６の内面に当接するように配設され、一対の芯索２０，２２の一端側を円筒状中空スリーブ１８の一端側を通して中敷き本体４に取付けるとともに、それらの他端側を円筒状中空スリーブ１８の他端側を通して甲側支え部材１６に取付けることにより、中敷き本体４と甲側支え部材１６との間に支持される。
【００４９】
実施例１では、一対の芯索２０，２２の一端側は、例えば、中敷き本体４に形成された前坪位置調整部としての挿通スリット２４を通してその裏側に突出させ、図４に破線で示すように、それらの一端部を拡げて中敷き本体４の外面に接着剤などで固着することにより、この中敷き本体４に取付けられる。また、一対の芯索２０，２２の他端側は、図示していないが、例えば、それらの他端部を拡げて甲側支え部材１６の内面に接着剤などで固定することにより、この甲側支え部材１６に取付けられる。この挿通スリット２４は、中敷き本体４の足指側と踵側とを結ぶ方向に延びており、従って、前坪１４はかかる方向に位置調整することができる。
【００５０】
実施例１では、中敷き本体４に設けた前坪位置調整部としての挿通スリット２４を通して一対の芯索２０，２２が取り付けられているので、一対の芯索２０，２２を固定する前の状態では、これら芯索２０，２２を挿通スリット２４に沿って中敷き本体４の前後方向（図７の左右方向）に移動させることができ、このように移動させることにより、中敷き本体４に対する前坪１４の取付位置を調整することができる。
【００５１】
例えば、階段を降りるときや山道を下るときには、通常、足指先が靴の足指側先端部内面に圧迫されてストレスを受けることがある。これにより、足指先が損傷したり体全体の疲労感につながることがある。そのため、当該靴を履いたときに、足指先が靴の足指側先端部内面に当接しない位置に挿通スリット２４を利用して前坪１４の位置を設定することができる。
【００５２】
前坪１４の位置を設定する具体的な方法を説明する。人は左右の足でその長さが異なっている。したがって、各人の左右の長さを測定して前坪１４の位置を設定する。図１１（ａ）は右足の足の裏を示し、（ｂ）は左足の足の裏を示している。踵の後端部から足指の第１祉と第２祉とのつけ根までの長さＡＬを測定する。この長さＡＬは右足の場合はＲＡＬとし、左足の場合はＬＡＬとする。
【００５３】
そして、図３に示す中敷き本体４の踵側端部から中敷き本体４の足指側前部６における前坪１４の後端部までの長さＭＬをＭＬ＝ＲＡＬとなるように、挿通スリット２４を利用して右足用の前坪１４の位置を設定し、また、ＭＬ＝ＬＡＬとなるように、挿通スリット２４を利用して左足用の前坪１４の位置を設定する。
【００５４】
なお、右足での長さＲＡＬ又は左足での長さＬＡＬのいずれかの値、又は平均値などを用いて共通の長さＡＬとして、右足用も左足用もMＬ＝ＡＬとなるように、前坪１４の位置を設定してもよい。この場合、中敷き本体４の足指側前部６における前坪１４の後端部から踵側端部までの長さＭＬは、足の踵後端部から足指の第１趾と第２趾とのつけ根までの長さＡＬと略同一となる。
【００５５】
なお、実施例１においては、前坪位置調整部としての挿通スリット２４を利用して前坪１４の位置を設定するようにしたが、必ずしもこれに限定されず適宜変更が可能である。例えば、挿通スリット２４を中敷き本体４に設けず、上述の長さＲＡＬ、ＬＡＬ，又はＡＬの位置に、前坪位置調整部として挿通開口を設けて前坪１４を取付けてもよい。
【００５６】
つまり、実施例１では、前坪１４の円筒状中空スリーブ１８の一端（下端）を中敷き本体４の表面に当接させているが、このような構成に代えて、中敷き本体４の足指側前部６に挿通開口を設け（この場合、スリット２４は省略される）、この挿通開口内に円筒状中空スリーブ１８の一端部を位置付けて接着剤などにより取付けるとともに、この挿通開口内の円筒状中空スリーブ１８の一端側を通して一対の芯索２０，２２の一端側を中敷き本体４の裏面側に突出させて上述したように取付けるようにしてもよい。
【００５７】
また、実施例１では、前坪１４の円筒状中空スリーブ１８の他端（上端）を甲側支え部材１６の内面に当接させているが、このような構成に代えて、前坪１４の下端部側と同様に、甲側支え部材１６に挿通開口を設け、この挿通開口内に円筒状中空スリーブ１８の他端部を位置付けて接着剤などにより取付けるとともに、その挿通開口内の円筒状中空スリーブ１８の他端側を通して一対の芯索２０，２２の他端側を甲側支え部材１６の外面側に突出させて上述したように取付けるようにしてもよい。
【００５８】
また、前坪位置調整部として複数の挿通開口を中敷き本体４に設けて、前坪１４の取付け位置を調整可能にしてもよい。
【００５９】
さらに、挿通スリット２４、又は複数の挿通開口により、前坪１４以外に前坪と同様の構造有した別の部材を取付けてもよい。これにより、足指の第１祉と第２祉とで複数の前坪１４を掴む力が増し、踏ん張り力が向上する。また、前記別の部材は複数であってもよい。
【００６０】
なお、実施例１においては、円筒状中空スリーブ１８を円筒状にしたが、必ずしもこれに限定されず適宜変更が可能である。例えば、三角柱等の多角柱としてもよい。これにより、趾股に中空スリーブをよりしっかりと保持できる。また、必ずしも中空スリーブは必要ではなく、中空スリーブを有さない構成としてもよい。
【００６１】
また、甲側支え部材１６は、例えば合成樹脂材料から形成することができ、前坪１４に対して足指側から踵側への前後方向と直交する幅方向の中心線上に前坪１４が設けられ、当該中心線に対して幅方向に対称形状であり、足指側先端部の幅Ｗ（図３参照）は、足指の第１趾及び第２趾の幅よりも大きくなるように構成され、踵側端部に向かうにしたがって幅は狭くなり踵側端部での幅W’は、Ｗよりも狭く（すなわち、W>W’）されている。これは、後述する把持部Hを手指で引っ張ったときの引っ張り易さや履いた後の調整など、履くとき又は履いた後の利便性を考慮したためである。
【００６２】
しかしながら、この実施形態にとらわれず、甲側支え部材１６の幅は変形が可能である。例えば、W＝W´として同じ幅が足指側から踵側まで同じとしてもよいし、W＜W´として踵側端部に向かうにしたがって幅は広くなるようにしてもよい。また、足指側から踵側への前後方向と直交する幅方向の中心線に対して幅方向に対称形状でなくてもよく、一方側に広がる形状としてもよい。
【００６３】
また、甲側支え部材１６は、前坪１４に対して足指側から踵側まで前後方向に長く延伸し、その前後方向において、前坪１４と接する部分の中心から足指側先端部までの長さをSLとし、前坪１４と接する部分の中心から踵側端部までの長さをKLとしたときに、SL≦KLの関係となるように構成されている。踵側に長く延伸していることにより、前坪と接する部分から踵側端部までの領域を大きくすることになり、確実に靴の甲被部内面に接触して摩擦により移動することを防ぐことができる。また、後述するように把持部Hや露出部Rを設けることができ、当該中敷き２を収容した靴を履くときなどに利便性を提供することができる。また、好ましくは、足指側にも長く延伸させることにより、靴１０２の内底１０６に収容した状態では、図７に示すように、甲側支え部材１６の先端部が靴１０２の先端部１１０の内面に当接しやすくなり、甲側支え部材１６の靴１０２の先端側への移動を確実に抑えることができる。
【００６４】
ここで、甲側支え部材１６が、足指側から踵側まで前後方向に長く延伸しているとは、甲側支え部材１６が単に前坪１４を支えるための長さだけを有しているのではなく、少なくとも前坪１４から踵側に長く延伸して、靴１０２の甲被部内面に当接して前坪１４の倒れを防ぐに十分な長さに延びていることをいう。また、好ましくは、前坪から足指側にも長く延伸させる。これにより甲側支え部材１６の足指側先端部が靴１０２の内面に当接して前坪１４の倒れを防ぐことができる。
【００６５】
実施例１において、甲側支え部材１６の踵側端部には、図１〜図３に示すように、把持部Ｈ（図１、図３における斜線部）を備えている。把持部Hは、甲側支え部材１６の踵側端部の外面（足に当接する面と反対面）、内面（足に当接する面）、及び側面の部分をいう。更に把持部Ｈのうち、より踵側端部には露出部Ｒを備えている。露出部Ｒは、把持部Hの外面、内面、及び側面のうち当該靴１０２を履いたときに靴１０２の履き口から外部に露出する外面、内面、及び側面の部分をいう。当該中敷き２を収容した靴１０２を履くときに、把持部Ｈ、好ましくは、露出部Rを手指で把持して引っ張ることにより、中敷き２が前方にずれることないため、靴ベラを用いなくても腰を屈めることなく容易に履くことができる。これにより、履くときの利便性を向上させるとともに、露出部Ｒの外面に赤や青色の着色やキャラクター、又はブランド名を描くことにより靴１０２のデザイン性を向上させることができる。また、露出部Ｒの内面に着色やキャラクター、又はブランド名等の装飾を施すとともに、露出部Ｒを靴１０２の甲被部上に折り曲げることにより露出部Rの内面を外側に向けて履いてもよい。
【００６６】
また、図２及び図３に示すように、この甲側支え部材１６は柔軟な略平板形状を有している。その厚さは足指側先端部が厚くされ、踵側端部に向かうにつれ薄く構成されている。つまり、甲側支え部材１６の足指側先端部が比較的厚くされていることにより、硬く当該部分が靴１０２の先端内面に当接したときに、前坪１４が前方に倒れることを防ぐことができる。また、甲側支え部材１６の踵側端部に向かうにつれその厚さが薄く構成されていることにより、軟らかく履くときに手指で把持部Ｈを把持しやすくなっている。なお、この甲側支え部材１６の厚さを足指側から踵側に向かうにつれて薄く形成するために、甲側支え部材１６を２枚以上の部材をつなぎわせて構成してもよい。つまり、足指側に厚い部材を配し、踵側に薄い部材を配してつなぎ合わせてもよい。
【００６７】
なお、実施例１においては、甲側支え部材１６の厚さは足指側先端部が厚く、踵側端部に向かうにつれ薄くなるように構成したが、必ずしもこれに限定されず適宜変更が可能である。例えば、厚さが一定の甲側支え部材１６としてもよいし、足指側先端部が薄く、踵側端部に向かうにつれ厚くなるように構成してもよい。
【００６８】
また、好ましくは、前坪１４が直立した状態において、甲側支え部材１６の先端部が中敷き本体４の先端部と前坪直立方向に間隔をおいて略重なるように構成するとよい。これにより、確実に甲側支え部材１６の先端部を靴１０２の先端部１１０の内面に確実に当接させることができる。
【００６９】
中敷き２を靴１０２に収容した収容状態においては、甲側支え部材１６の外面が靴１０２の甲被部１１２に接触し、この接触による甲被部１１２との間の摩擦、また甲側支え部材１６の変形抑制によっても甲側支え部材１６の靴１０２の先端側への移動を防止することができ、その結果、前坪１４を中敷き本体４と甲側支え部材１６との間、即ち靴１０２内の前部の所定部位に確実に保持することができる。
【００７０】
また、好ましくは、甲側支え部材１６の前坪１４と接する部分から踵側端部までの領域における把持部Hの外面と重ならない部分において、少なくとも前記甲側支え部材１６の外面に、靴１０２の甲被部への保持を強化する保持強化部Ｆ（図１、図３において斜線を付した部分）を設けてもよい。これにより、さらに確実に中敷き２と靴１０２とを所定部位に保持することができる。
【００７１】
保持強化部Ｆは、本実施形態においては、雄型面ファスナ又は雌型面ファスナを甲側支え部材１６の外面に設けることとしている。さらに好ましくは、靴１０２の対応する部分にも対応の雌型面ファスナ又は雄型面ファスナを設けるとよい。これによりさらに確実に中敷き２と靴１０２とを所定部位に保持できる。
【００７２】
実施例１では上述したように保持強化部Ｆとして雄型面ファスナ又は雌型面ファスナを甲側支え部材１６の外面に設けることとしたが、必ずしもこれに限定されず適宜変更が可能である。例えば、保持強化部Ｆとして接着剤を用いて両者を貼つけてもよいし、糸で縫い付けてもよい。つまり、中敷き２と靴１０２との位置関係がずれないように保持状態を強化できればよい。
【００７３】
実施例１では、中敷き本体４の足指側前部６の裏面に滑止め部材３２が配設されている。この滑止め部材３２の表面には、適宜の滑止め形状が施されている。この滑止め部材３２は、例えばゴム、合成ゴムなどの材料から形成され、例えば接着剤などにより中敷き本体４に固定される。この滑止め部材３２を設けることにより、足指先からの力が中敷き本体４及び滑止め部材３２を介して靴１０２の内底１０６に確実に伝達され、歩行、走行を安定させることができる。また、このように構成することにより、一対の芯索２０，２２の一端部（中敷き本体４の裏面に露出する端部）が滑止め部材３２により被われ、これら芯索２０，２２の一端部をより確実に固定することができるとともに、中敷き２の前部底面を平坦にすることができる。この滑止め部材３２は、中敷き本体４の少なくとも足指側前部６の裏面に設けることにより所望の効果を達成することができるが、中敷き本体全体の裏面に設けるようにしてもよい。
【００７４】
更に、実施例１では、甲側支え部材１６の内面に一対のカバー部材３４が設けられている（図２、図５及び図６参照）。このカバー部材３４は、例えば織布、不織布、革、ゴム、合成樹脂などから形成され、上述した記載から理解されるように、一対の芯索２０，２２の他端部（甲側支え部材１６の内面に露出する端部）を被うようになり、これら芯索２０，２２の他端部をより確実に固定することができる。
【００７５】
この中敷き２は、図７に示すように、例えばウォーキングシューズ、運動シューズ、スポーツシューズなどの靴１０２内に収容され、その内底１０６の表面に載置される。この収容状態においては、図７に示すように、中敷き本体４の先端部が靴１０２の先端部１１０の下端部位内面に当接し、甲側支え部材１６の足指側先端部が靴１０２の先端部１１０の上端部位内面に当接するようになり、また、保持強化部Ｆが靴１０２の甲被部内面に接触するようになる。これにより、中敷き本体４及び甲側支え部材１６、換言すると前坪１４の靴１０２の先端側への移動が確実に抑えられ、この前坪１４を靴１０２内の前部に確実に保持することができる。また、この前坪１４の下端部側においては、靴１０２を履いたときには、足１０８が中敷き本体４の上に載るので、体重が足１０８を介して中敷き本体４に作用し、これによっても前坪１４の下端部側の移動が抑えられる。
【００７６】
なお、実施例１においては、甲側支え部材１６の足指側先端部が靴１０２の先端部１１０の上端部位内面に当接するように構成したが、必ずしもこれに限定されず適宜変更が可能である。例えば、甲側支え部材１６の足指側先端部が靴１０２の甲被部内面に当接して前坪１４の移動を抑えるように構成してもよい。
【００７７】
この前坪１４の上端側の移動をより確実に抑えるためには、上述したように、保持強化部Ｆを設けるのが好ましく、これにより、中敷き２側の甲側支え部材１６の移動をより確実に抑えことができるとともに、この前坪１４を常に元の状態（直立した状態、又は傾斜した状態）に保つことができ、その結果、この中敷き２を収容した靴１０２の履き易さが改善される。好ましくは、保持強化部Ｆとして雄型面ファスナ又は雌型面ファスナを設け、これに対応して着脱自在に装着される雌型面ファスナ又は雄型面ファスナを靴１０２本体の甲被部側内面に設けてもよい。これにより、さらに確実に前坪１４を靴１０２本体内の所定部位に確実に保持することができる。これらの雄型面ファスナ又は雌型面ファスナは、接着剤により貼付する、或いは糸（又は紐）で縫い付けることができる。
【００７８】
この中敷き４を収容した靴１０２では、足１０８の第１趾と第２趾の間の趾股内に前坪１４が位置するように靴１０２を履くようになる。この靴１０２を履いて歩行（走行）すると、前坪１４が第１趾及び第２趾の間の趾股に作用し、これにより、歩くときの体重移動が踵から第１趾に向けて直線状に移動するようになり、その結果、足指先の力を靴底に伝えて安定的に歩行（走行）することができる。また、この歩行（走行）状態においては、前坪１４が第１趾と第２趾との間の趾股に作用するために、地面を蹴る際に踏ん張りがきいて足の指先に力が入り、これによっても歩行（走行）を安定させることができ、また蹴る際の踏ん張りがきくために足指や足裏の筋力増強を図ることができる。その結果、歩行姿勢の改善につながり腰痛や膝痛等を防止することができる。また、前坪１４の外形が円筒状（又は三角柱等の多角柱）であるので、第１趾及び第２趾によりつかみやすく、これにより、足の指先に力が入って蹴る際により踏ん張りやすく、足指や足裏の筋力アップを図ることができる。
【００７９】
以上、本発明に従う中敷き及びこれを備えた靴の実施例１について説明したが、本発明はかかる実施形態に限定されるものではなく、本発明の範囲を逸脱することなく種々の変形乃至修正が可能である。
【００８０】
例えば、前坪として図８に示すように構成するようにしてもよい。図８において、変形形態の前坪１４Ａは、柱状部材５２と、この柱状部材５２を被う弾性スリーブとしての例えば円筒状弾性スリーブ５４とから構成され、この柱状部材５２及び円筒状弾性スリーブ５４が中敷き本体４Ａと甲側支え部材１６Ａとの間に配設されている。
【００８１】
この変形形態では、柱状部材５２の一端側に下雌ねじ孔５６が設けられ、取付ねじ５８の雄ねじ部６０をこの下雌ねじ孔５６に螺着することにより、柱状部材５２の下端部が中敷き本体４Ａに着脱自在に取付けられる。また、この柱状部材５２の他端側の上雌ねじ孔６２が設けられ、取付ねじ６４の雄ねじ部６６をこの上雌ねじ孔６２に螺着することにより、柱状部材５２の上端部が甲側支え部材１６Ａに着脱自在に取付けられる。
【００８２】
このような前坪１４Ａにおいては、柱状部材５２が鉄、ステンレス鋼などの金属材料、硬質の剛性樹脂材料などから形成することができ、このような材料から形成することにより、柱状部材５２に剛性及び強度を持たせることができる。また、円筒状弾性スリーブ５４としては、柔らかい合成樹脂材料、発泡樹脂材料などから形成することができ、このように構成することによって、足に優しいが第１と第２趾との間の趾股には刺激が強い中敷きを提供することができる。
【００８３】
なお、別の変形形態として、取付ねじ５８又は取付ねじ６４のいずれか一方を長くして柱状部材５２の端部まで挿通させ、柱状部材５２の端部から露出した雄ねじをナットで螺着させてもよい。これにより、構成を簡易化でき組立性を向上させることができる。
【００８４】
さらなる別の変形形態として、前坪１４Ａと甲側支え部材１６Ａとを合成樹脂等により一体として構成してもよい。その場合は、前坪１４Ａの下端側を中敷き本体４に取付けるようにすればよい。少なくとも前坪１４Ａの一端に甲側支え部材１６Ａが設けられていればよい。
【００８５】
さらなる別の変形形態として、円筒状弾性スリーブ５４を省略する構成してもよい。これにより部材を減らしコスト低減することができる。また、柱状部材５２を省略し、円筒状弾性スリーブ５４のみで前坪を構成してもよい。
【００８６】
さらなる別の変形形態として、柱状部材５２の両端又はいずれかの一端に反対側が当該円筒径よりも大きな円盤を有する圧入部材を圧入することにより、中敷き本体４A又は甲側支え部材１６Aと柱状部材５２とを取付ける構成としてもよい。
【００８７】
さらに別の実施形態として、甲側支え部材１６における露出部Ｒを設けない構成としてもよい。これにより、甲側支え部材１６が靴１０２の履き口から外部に露出することがないので、甲被部におけるタンと呼ばれる舌のような部材を有しない靴１０２の場合にデザイン性を確保することができる。また、把持部Ｈそのものを設けない構成としてもよい。この場合は、靴１０２を履くときに甲側支え部材１６を手指で把持して引っ張ることができないが、保持強化部Ｆにより中敷き２が靴１０２にしっかりと保持されているため、容易に履くことが可能である。
【００８８】
また、例えば、上述した実施形態では、ウォーキングシューズ、運動シューズ、スポーツシューズなどの靴１０２に適用して説明したが、本発明は、これら形態の靴に限定されず、ブーツ、雪用靴、長靴、作業シューズ、登山靴、釣り用靴などの各種形態の靴に広く適用することができる。
【実施例２】
【００８９】
本発明の実施例２においては、中敷き本体の足指側前部における足指を支える部分を含む領域に、中敷き本体の厚さを薄くする薄肉部を設けた点で、実施例１と異なっている。図９を参照して実施例２について説明する。図９は、本発明の実施例２における薄肉部を説明する図であり、（ａ）は平面図、（ｂ）は中敷き本体の足側を薄くして薄肉部を形成した側面図、（ｃ）は中敷き本体の靴側を薄くして薄肉部を形成した側面図である。
【００９０】
図９（ａ）に示すように、実施例２においては、中敷き本体２０４の足指側前部２０６における足指を支える部分から先端方向の領域に、中敷き本体２０４の厚さを薄くする薄肉部２６１を逆Ｖ字形状に設けている。薄肉部２６１は、図９（ｂ）に示すように中敷き本体２０４の足が接する側の面を削り厚Ｄだけ削って薄肉部２６１Ａを形成しても、図９（ｃ）に示すように中敷き本体２０４の足が接する側と反対側の靴が接する側の面を削り厚Ｄだけ削って薄肉部２６１Ｂを形成してもよい。また、足が接する側と靴が接する側の双方を削って双方の側に薄肉部を形成してもよい。削り厚Ｄは任意であるが、足指の自由度ができるだけ確保でき、足指で踏ん張れる厚さであることが望ましい。
【００９１】
なお、実施例２においては、薄肉部２６１を逆Ｖ字形状に形成したが、必ずしもこれに限定されず適宜変更が可能である。例えば、各指の接する部分のみに薄肉部を形成してもよいし、各指との接する部分に加えて母趾球までを含む領域に薄肉部を形成してもよい。少なくとも親指を含む各指が中敷き本体２０４に接する部分を含む領域に薄肉部を設ければよい。
【００９２】
なお、実施例２においては、中敷き本体２０４の足が接する側の面、又は中敷き本体２０４の足が接する側と反対側の靴が接する側の面のいずれか、或は双方を削り厚Ｄだけ削って薄肉部２６１を形成するように構成したが、必ずしもこれに限定されず適宜変更が可能である。例えば、足指側前部２０６における足指を支える部分から先端方向の領域の中敷き本体２０４を完全に切断して足指を支える部分から先端方向の領域には中敷き本体２０４がない構成としてもよい。
【００９３】
また、中敷き本体２０４の表面又は裏面に、足指を支える部分から先端方向の領域を切断した別の中敷き本体を接合した２枚構成として薄肉部２６１を設けてもよい。
【００９４】
このように実施例２においては、前記中敷き本体の足指側前部における足指を支える部分を含む領域に、前記中敷き本体の厚さを薄くする薄肉部を設けたことにより、山道や階段を登るときに足指が中敷き本体に接する部分が薄くなることによって、足指が踏ん張りやすくなり、踵側の負担が少なくなり腰痛や膝痛を予防することができる。また、足指の自由度が向上するため、足指の筋力アップも期待できる。
【実施例３】
【００９５】
本発明の実施例３は、前坪とは別の調整部を中敷き本体に取付けた点で、実施例１、２と異なっている。実施例３について図１０を参照して説明する。図１０は、本発明の実施例３における調整部を説明する図であり、（ａ）は平面図、（ｂ）は一部省略した側面図である。
【００９６】
図１０（ａ）、（ｂ）に示すように、実施例３においては、中敷き本体３０４の前坪１４が設けられた位置より足指先端側に調整部３１９を甲側支え部材３１６の中心線上の中敷き本体４に取付けている。これにより、外反母趾のような人の親指の開き角度を調整することができるとともに、外反母趾ではない人でも体が倒れにくくすることができる。
【００９７】
調整部３１９は、前坪１４と同様の材質、形状、及び構造を有していて、その下端部を中敷き本体３０４に取付けられ、上端部を甲側支え部材３１６に取付けられている。前坪１４からの位置関係は、前坪１４よりも足指先端側に距離Ａだけ離れて調整部３１９は設けられている。距離Ａは各人の足の親指の大きさによって任意であるが、実施例３においては、前坪１４と調整部３１６との距離Aは、Ａ＝２５ｍｍとしているが、各人の足指の大きさや形状により調整可能に構成してもよい。この距離Aの調整は、前述した挿通スリット２４に調整部３１９を挿通させるか、別途挿通開口を設けることにより行うことができる。
【００９８】
調整部３１９を設けることにより、親指を外方（人差し指とは反対側）に開く角度を調整することができる。例えば、スリット２４を用いて前後方向の位置を調整して、各人に合わせた最適な角度とすることにより、左右から体を押されたときにも足の親指や足の裏に力が入り踏ん張ることができる。また、その位置を左右方向にも調整することにより、各人毎の外反母趾を矯正することができる。
【００９９】
なお、実施例３においては、前坪１４が設けられた位置より足指先端側の位置における甲側支え部材３１６の中心線上に調整部３１９を設けることとしたが、さらに、親指と人差し指の開き角度が大きくなるように、位置を調整し甲側支え部材３１６の中心線よりも親指方向に寄った位置に調整部３１９を設けてもよい。この場合は、前坪３１４から親指方向に斜めに新たな挿通スリット又は挿通開口を設けて、この新たな挿通スリット又は挿通開口に調整部３１９を挿通させることにより、位置の調整が可能となる。親指と人差し指の開き角度が大きくなるようにすることにより、さらに外反母趾を矯正することができる。
【０１００】
実施例３においては、調整部３１９は、前坪１４と同様の材質、形状、及び構造を有してもよい。例えば、上述した前坪１４における柔軟性を有する円筒状中空スリーブ１８と、この円筒状中空スリーブ１８を挿通して配設された一対の芯索２０，２２とを備えた構成としてもよいし、円筒状中空スリーブ１８を省略し一対の芯索２０，２２のみの構成としてもよい。また、上述した柱状部材５２と、この柱状部材５２を被う円筒状弾性スリーブ５４を含む調整部３１９としてもよい。その際に、前坪１４の構成と調整部３１９の構成は異なってもよい。さらに、甲側支え部材３１６、前坪１４、及び調整部３１９を一体に形成してもよい。また、調整部３１９を複数設けてもよい。
【０１０１】
このように、実施例３においては、前記前坪が設けられた位置より足指先端側に、親指の開き角度を調整するための調整部を設けた構成により、左右から体を押されたときにも足の親指や足の裏に力が入り踏ん張ることができる。また、その位置を調整することにより、各人毎の外反母趾を矯正することができる。
【産業上の利用可能性】
【０１０２】
本発明における中敷き及びこれを備えた靴は、履物の分野に広く用いることができる。
【符号の説明】
【０１０３】
２  中敷き
４，４Ａ  中敷き本体
６  足指側前部
８  踵側後部
１４，１４Ａ  前坪
１６，１６Ａ  甲側支え部材
１８  円筒状中空スリーブ
２０，２２  芯索
３２  滑止め部材
５２  柱状部材
５４  円筒状弾性スリーブ
１０２  靴
１０６  内底
１０８  足
１１２  甲被部
２０２  中敷き
２０４  中敷き本体
２６１  薄肉部
３０２  中敷き
３０４  中敷き本体
３１６  甲側支え部材
３１９  調整部
Ｆ  保持強化部
Ｈ  把持部
Ｒ  露出部
【図１】
2020025844.tif 000003
【図２】
2020025844.tif 000004
【図３】
2020025844.tif 000005
【図４】
2020025844.tif 000006
【図５】
2020025844.tif 000007
【図６】
2020025844.tif 000008
【図７】
2020025844.tif 000009
【図８】
2020025844.tif 000010
【図９】
2020025844.tif 000011
【図１０】
2020025844.tif 000012
【図１１】
2020025844.tif 000013
【手続補正書】
【提出日】平成31年3月21日(2019.3.21)
【手続補正１】
【補正対象書類名】特許請求の範囲
【補正対象項目名】全文
【補正方法】変更
【補正の内容】
【特許請求の範囲】
【請求項１】
靴の内底に収容可能な中敷き本体と、
前記中敷き本体の足指側前部に一方の端部が着脱自在に取付けられ、他方の端部に甲側支え部材が設けられた前坪と、を備え、
前記甲側支え部材は、前記前坪を起点として足指側から踵側まで前後方向に長く延伸し、前記前坪と接する部分の中心から足指側先端部までの長さをSLとし、前記前坪と接する部分の中心から踵側端部までの長さをKLとしたときに、SL≦KLの関係となるとともに、
前記甲側支え部材の足指側先端部は前記中敷き本体の足指側先端部に当接しないことを特徴とする中敷き。
【請求項２】
前記前坪は柱状部材を有し、当該柱状部材の一方の端部が前記中敷き本体に着脱自在に取付けられ、他方の端部が前記甲側支え部材に着脱自在に取付けられたことを特徴とする請求項１に記載の中敷き。
【請求項３】
前記前坪は、前記柱状部材を被う弾性スリーブを備えたことを特徴とする請求項２に記載の中敷き。
【請求項４】
前記中敷き本体の足指側前部には前坪位置調整部が設けられ、前記前坪は当該前坪位置調整部を通して前記中敷き本体に着脱自在に取付けられることにより前記前坪の取付け位置が調整可能とされたことを特徴とする請求項１〜３のいずれかに記載の中敷き。
【請求項５】
前記前坪位置調整部によって前記前坪の取付け位置は、前記中敷き本体の足指側前部における前記前坪の後端部から踵側端部までの長さＭＬが、足の踵後端部から足指の第１趾と第２趾とのつけ根までの長さＡＬと略同一になるように各人の右足の長さ及び左足の長さに基づいて右足用の位置及び左足用の位置がそれぞれ調整可能であることを特徴とする請求項４に記載の中敷き。
【請求項６】
当該中敷きを収容した前記靴を履くときに手指で把持可能な把持部を前記甲側支え部材の踵側端部に有していることを特徴とする請求項１〜５のいずれかに記載の中敷き。
【請求項７】
前記靴の前記内底に収容した状態において、前記把持部のうち踵側端部に靴の履き口から外部に露出する露出部を有することを特徴とする請求項６に記載の中敷き。
【請求項８】
前記露出部の外面又は内面に、彩色、キャラクター又はブランド名が描かれていることを特徴とする請求項７に記載の中敷き。
【請求項９】
前記甲側支え部材の前記前坪と接する部分から踵側端部までの領域において、少なくとも前記甲側支え部材の外面に、前記靴の甲被部への保持を強化する保持強化部が設けられ、前記靴の前記内底に収容した状態において、前記保持強化部の外面が前記靴の前記甲被部に接触するように構成されていることを特徴とする請求項１〜８のいずれかに記載の中敷き。
【請求項１０】
前記中敷き本体の足指側前部における足指を支える部分よりも先端方向の領域に、前記中敷き本体の厚さを薄くする薄肉部を設けたことを特徴とする請求項１〜９のいずれかに記載の中敷き。
【請求項１１】
前記中敷き本体において、前記薄肉部に相当する領域が切断されていることを特徴とする請求項１０に記載の中敷き。
【請求項１２】
前記前坪とは別に調整部を中敷き本体及び前記甲側支え部材の間に取付けたことを特徴とする請求項１〜１１のいずれかに記載の中敷き。
【請求項１３】
靴本体の内底に請求項１〜１２のいずれかに記載の中敷きが収容されたことを特徴とする靴。
【請求項１４】
請求項４又は５に記載の前記中敷きを前記靴の内底に収容した当該靴を履いたときに、足指先が前記靴の足指側先端部内面に隙間を有することによって当接しないように、前記前坪位置調整部により調整された位置に前記前坪が前記中敷き本体に取付けられていることを特徴とする靴。
【手続補正２】
【補正対象書類名】明細書
【補正対象項目名】０００９
【補正方法】変更
【補正の内容】
【０００９】
上記課題を解決するため本発明は、靴の内底に収容可能な中敷き本体と、
前記中敷き本体の足指側前部に一方の端部が着脱自在に取付けられ、他方の端部に甲側支え部材が設けられた前坪と、を備え、
前記甲側支え部材は、前記前坪を起点として足指側から踵側まで前後方向に長く延伸し、前記前坪と接する部分の中心から足指側先端部までの長さをSLとし、前記前坪と接する部分の中心から踵側端部までの長さをKLとしたときに、SL≦KLの関係となるとともに、
前記甲側支え部材の足指側先端部は前記中敷き本体の足指側先端部に当接しないことを特徴とする中敷きを提供するものである。
【手続補正３】
【補正対象書類名】明細書
【補正対象項目名】００１２
【補正方法】変更
【補正の内容】
【００１２】
また、前記甲側支え部材は、前記前坪と接する部分の中心から足指側先端部までの長さをSLとし、前記前坪と接する部分の中心から踵側端部までの長さをKLとしたときに、SL≦KLの関係となる構成としたことにより、前坪と接する部分から踵側端部までの領域を大きくとることになり、確実に靴の甲被部内面に接触して摩擦により移動することを防ぐことができる。さらに、前坪が中敷き本体に着脱自在に取付けられた構造であるため、個人の足の長さによって前坪の位置調整が可能であるとともに、甲側支え部材の交換が容易である。また、前坪と甲側支え部材とを着脱自在に取付けることがより好ましい。これにより、前坪を起点とした足指側又は踵側への長さを調整することができるとともに、甲側支え部材や前坪及び中敷き本体を容易に交換可能とすることができる。
また、甲側支え部材の足指側先端部は中敷き本体の足指側先端部に当接しないようにしたことで、足指先と靴内面との間に隙間を設けて、足指先が甲側支え部材の内面に当接することを防止して足指の損傷や疲労を避けることができる。
【手続補正４】
【補正対象書類名】明細書
【補正対象項目名】００１４
【補正方法】変更
【補正の内容】
【００１４】
前記前坪は柱状部材を有し、当該柱状部材の一方の端部が前記中敷き本体に着脱自在に取付けられ、他方の端部が前記甲側支え部材に着脱自在に取付けられた構成としてもよい。
【手続補正５】
【補正対象書類名】明細書
【補正対象項目名】００１５
【補正方法】変更
【補正の内容】
【００１５】
これにより、しっかりとした前坪とすることができる。また、好ましくは、柱状部材にねじ又は圧入部材により中敷き本体を取付ける構成としてもよい。これにより、前坪の着脱が容易になることで、前坪や中敷き本体及び甲側支え部材を容易に交換することができる。
【手続補正６】
【補正対象書類名】明細書
【補正対象項目名】００１８
【補正方法】変更
【補正の内容】
【００１８】
前記中敷き本体の足指側前部には前坪位置調整部が設けられ、前記前坪は当該前坪位置調整部を通して前記中敷き本体に着脱自在に取付けられることにより前記前坪の取付け位置が調整可能とされた構成としてもよい。
【手続補正７】
【補正対象書類名】明細書
【補正対象項目名】００２０
【補正方法】変更
【補正の内容】
【００２０】
前記前坪位置調整部によって前記前坪の取付け位置は、前記中敷き本体の足指側前部における前記前坪の後端部から踵側端部までの長さＭＬが、足の踵後端部から足指の第１趾と第２趾とのつけ根までの長さＡＬと略同一になるように各人の右足の長さ及び左足の長さに基づいて右足用の位置及び左足用の位置がそれぞれ調整可能である構成としてもよい。
【手続補正８】
【補正対象書類名】明細書
【補正対象項目名】００３８
【補正方法】変更
【補正の内容】
【００３８】
前坪位置調整部が設けられた前記中敷きを前記靴の内底に収容した当該靴を履いたときに、足指先が前記靴の足指側先端部内面に隙間を有することによって当接しないように、前記前坪位置調整部により調整された位置に前記前坪が前記中敷き本体に取付けられている構成としてもよい。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
靴の内底に収容可能な中敷き本体と、
前記中敷き本体の足指側前部に一方の端部が着脱自在に取付けられ、他方の端部に甲側支え部材が設けられた前坪と、を備え、
前記甲側支え部材は、前記前坪を起点として足指側に延伸するとともに前記前坪を起点として踵側に長く延伸し、前記前坪と接する部分の中心から足指側先端部までの長さをSLとし、前記前坪と接する部分の中心から踵側端部までの長さをKLとしたときに、SL≦KLの関係となるとともに、靴の先端部の上端部位内面に当接可能な足指側先端部を有し、
前記甲側支え部材の前記足指側先端部は前記中敷き本体の前記足指側前部に当接しないことを特徴とする中敷き。
【請求項２】
前記前坪は柱状部材を有し、当該柱状部材の一方の端部が前記中敷き本体に着脱自在に取付けられ、他方の端部が前記甲側支え部材に着脱自在に取付けられたことを特徴とする請求項１に記載の中敷き。
【請求項３】
前記前坪は、前記柱状部材を被う弾性スリーブを備えたことを特徴とする請求項２に記載の中敷き。
【請求項４】
前記中敷き本体の足指側前部には前坪位置調整部が設けられ、前記前坪は当該前坪位置調整部を通して前記中敷き本体に着脱自在に取付けられることにより前記前坪の取付け位置が調整可能とされたことを特徴とする請求項１〜３のいずれかに記載の中敷き。
【請求項５】
前記前坪位置調整部によって前記前坪の取付け位置は、前記中敷き本体の足指側前部における前記前坪の後端部から踵側端部までの長さＭＬが、足の踵後端部から足指の第１趾と第２趾とのつけ根までの長さＡＬと略同一になるように各人の右足の長さ及び左足の長さに基づいて右足用の位置及び左足用の位置がそれぞれ調整可能であることを特徴とする請求項４に記載の中敷き。
【請求項６】
当該中敷きを収容した前記靴を履くときに手指で把持可能な把持部を前記甲側支え部材の踵側端部に有していることを特徴とする請求項１〜５のいずれかに記載の中敷き。
【請求項７】
前記靴の前記内底に収容した状態において、前記把持部のうち踵側端部に靴の履き口から外部に露出する露出部を有することを特徴とする請求項６に記載の中敷き。
【請求項８】
前記露出部の外面又は内面に、彩色、キャラクター又はブランド名が描かれていることを特徴とする請求項７に記載の中敷き。
【請求項９】
前記甲側支え部材の前記前坪と接する部分から踵側端部までの領域において、少なくとも前記甲側支え部材の外面に、前記靴の甲被部への保持を強化する保持強化部が設けられ、前記靴の前記内底に収容した状態において、前記保持強化部の外面が前記靴の前記甲被部に接触するように構成されていることを特徴とする請求項１〜８のいずれかに記載の中敷き。
【請求項１０】
前記中敷き本体の足指側前部における足指を支える部分よりも先端方向の領域に、前記中敷き本体の厚さを薄くする薄肉部を設けたことを特徴とする請求項１〜９のいずれかに記載の中敷き。
【請求項１１】
前記中敷き本体において、前記薄肉部に相当する領域が切断されていることを特徴とする請求項１０に記載の中敷き。
【請求項１２】
前記前坪とは別に調整部を中敷き本体及び前記甲側支え部材の間に取付けたことを特徴とする請求項１〜１１のいずれかに記載の中敷き。
【請求項１３】
靴本体の内底に請求項１〜１２のいずれかに記載の中敷きが収容されたことを特徴とする靴。
【請求項１４】
請求項４又は５に記載の前記中敷きを前記靴の内底に収容した当該靴を履いたときに、足指先が前記靴の足指側先端部内面に隙間を有することによって当接しないように、前記前坪位置調整部により調整された位置に前記前坪が前記中敷き本体に取付けられていることを特徴とする靴。
【手続補正２】
【補正対象書類名】明細書
【補正対象項目名】０００９
【補正方法】変更
【補正の内容】
【０００９】
上記課題を解決するため本発明は、靴の内底に収容可能な中敷き本体と、
前記中敷き本体の足指側前部に一方の端部が着脱自在に取付けられ、他方の端部に甲側支え部材が設けられた前坪と、を備え、
前記甲側支え部材は、前記前坪を起点として足指側に延伸するとともに前記前坪を起点として踵側に長く延伸し、前記前坪と接する部分の中心から足指側先端部までの長さをSLとし、前記前坪と接する部分の中心から踵側端部までの長さをKLとしたときに、SL≦KLの関係となるとともに、靴の先端部の上端部位内面に当接可能な足指側先端部を有し、
前記甲側支え部材の前記足指側先端部は前記中敷き本体の前記足指側前部に当接しないことを特徴とする中敷きを提供するものである。